【事件の表示】
　平成　３年特許願第　１９３１１号「画像形成装置」拒絶査定に対する審判事件［平成　４年　８月３１日出願公開、特開平　４−２４３２６８］について、次のとおり審決する。
【結　論】
　本件審判の請求は、成り立たない。
【理　由】
１．手続きの経緯・本願発明
　本願は、平成3年1月18日の出願であって、その請求項１乃至４に係る発明は、平成11年10月29日付け及び平成12年10月17日付け手続補正書によって補正された明細書及び図面の記載からみて、その特許請求の範囲の請求項１乃至４に記載されたとおりのものであり、特に請求項１に係る発明は次のとおりのものである。以下、「本願発明１」という。
「装置本体の上カバーが開閉自在な画像形成装置において、位置決め部を備えた複数のプロセスユニットと、前記複数のプロセスユニットを下部に支持する上カバーと、前記複数のプロセスユニットの位置決め部に対向する基準部を備えた基準プロセスユニットと、該基準プロセスユニットを押圧する押圧部材とから成り、前記上カバーを閉めた時だけ、前記押圧部材により装置本体に対し全てのプロセスユニットが設定位置に位置決めされることを特徴とする画像形成装置。」
　
２．前置審査の拒絶理由の概要
　本願の請求項１乃至４に係る発明は、実願昭60−126215号（実開昭62−35352号）のマイクロフィルム（以下「刊行物１」という。）及び特開昭58−140759号公報記載の発明（以下「刊行物２」という。）及び周知技術［実願昭63−13282号（実開昭63−132981号）のマイクロフィルム］に基づいて、当業者が容易に発明をすることができたものである。
　
３．引用刊行物記載の発明
［刊行物１記載の発明］
ａ．この考案は、電子写真装置、より詳細には下部機体に対して開閉可能な上部機体と、この上部機体内に装着される感光体ユニットとを有し、ファクシミリ・プリンタ等に適用される電子写真装置の感光体ユニット位置決め装置に関するものである。（マイクロフィルム第1頁下から第3行〜第2頁第3行）
ｂ．1は感光体ユニットを示し、このユニット1はケース6を有し、その中に無端状感光体ベルト2、該ベルト2を搬送するための駆動ローラ3、従動ローラ4、テンションローラ5が配置されており、ケース6の駆動ローラ3と反対側の側壁には水平方向の２個の突起15が設けられ、頂板には上部機体に設置したセルフォックレンズ11及びその前後に設けられたレンズ位置決め部材12が挿入される位置決め孔7が穿設され、この位置決め孔7の下方には露光ガイド板17が設けられている。（マイクロフィルム第2頁第9行〜第2頁第19行）
ｃ．このように感光体ユニット1は下部が転写チャージャー13を介してスプリング14で押上げられ、突起15が上部機体の保持部材16に取付けられた上部レール8に当接するとともに、露光ガイド板17がレンズ位置決め部材12に当接する。なお、9は下部レール、10はコンタクトガラスをそれぞれ示す。（マイクロフィルム第3頁第3行〜第3頁第9行）
ｄ．（２）ｙ方向の位置決めは、感光体ベルト2の両外側における露光ガイド板17とレンズ位置決め部材12との当接及び突起15と上部レール8との当接により、（３）ｚ方向の位置決めは、位置決め孔7とレンズ位置決め部材12との嵌合による。（マイクロフィルム第3頁第14行〜第3頁第19行）
ｅ．駆動ローラ3の軸22の先端は第3図に示すように、円錐状をなしていて、第１図の状態において上部機体を設けた支持軸24に揺動可能に取付けられた支持アーム25に回動可能に支持された駆動軸27に取付けた駆動歯車28の中心孔30に嵌合支持して、ｘ方向の位置決めがなされている。支持アーム25の側壁には長孔31が設けられていて、これに上部機体に突設したピン26が嵌合していて、支持アーム25の支持軸24を中心とするわずかな上下（ｙ）方向の移動が可能となっている。そしてこのような駆動ローラ3は、前記の支持部材18と同様に上部にＵ字形の切込みをもつが、それとは相違してｘ方向への移動が可能となっている支持部材21によって支持されたうえ、上方から加圧アーム32の一端で加圧される。この加圧アーム32はほぼその中央が上部機体に枢軸33で枢支され、駆動ローラ3と反対側においてスプリング34で常時下方に引張られ、他端すなわちこのスプリング34側の端部には加圧レバー35の上端が枢支され、この加圧レバーの下部にはスプリング36の上端が取付けられ、このスプリング36の下端は自由端となっている。そして第１図の場合（当審注　上部機体閉鎖時）にはスプリング36の下端が下部機体の受台37上に当接して押圧され、その押圧力によりスプリング34の引張力に抗して加圧アーム32を反時計方向に回動し、その結果その一端で前記のように駆動ローラ3を加圧することとなり、この状態において加圧アーム32が駆動ローラ3を下方に押圧する力と、スプリング34，36との力とがつり合っている。（マイクロフィルム第5頁第14行〜第7頁第4行）
ｆ．このようにしてユニット1の挿入が完了すると、駆動ローラ3の軸22の先端が前記のように駆動歯車28の中心孔30に嵌入してｘ方向の位置決めがなされるが、支持アーム25の長孔31にピン26が嵌合することによってｙ方向の位置決めはなされない。ここで上部機体を閉鎖すると、前記従来の装置におけると全く同様にしてｙ方向及びｚ方向の位置決めがなされることとなる。（マイクロフィルム第7頁末行〜第8頁第7行）
　
　以上の記載を対比のためにまとめると、刊行物１には次のような発明が記載されている。
ア）下部機体に対して上部機体が開閉自在な電子写真装置。
イ）セルフォックレンズ11は上部機体に設置されており、位置決め部材12を備えている。
ウ）感光体ユニットには、レンズ位置決め部材12が挿入される位置決め孔7が設けられると共に、位置決め孔7の下方には露光ガイド板17が設けられている。
エ）上部機体に感光体ユニットを取付けた上で、上部機体を閉鎖すると、感光体ユニット1は下部が転写チャージャー13を介してスプリング14で押上げられ、突起15が上部機体の保持部材16に取付けられた上部レール8に当接するとともに、露光ガイド板17がレンズ位置決め部材12に当接する。さらに感光体ユニット中の駆動ローラ3は下部機体に設けた支持部材18に対して、加圧レバー35により押圧される。
　
「刊行物２記載の発明」
ア）フレーム23を本体フレーム22に挿入すると、フレーム23の切欠き23ｂの斜面23ｄがまず帯電器（当審注　帯電器2、転写用帯電器15、分離用帯電器16）に当る。フレーム23を更に押し入れると、帯電器の押圧手段30である板バネが圧縮されて、帯電器は感光ドラムから離れる方向に移動し、帯電器は、切欠き23ｂの面部23ｃに当接する。更に、フレーム23を挿入すると、他端の切欠き23ｂの斜面23ｄにも帯電器が当接し、次いで切欠き23ｂの面部23ｃに当接する。帯電器がフレーム２３の両端の切欠き23ｂの面部23ｃに当接すると、感光ドラム1に対する各帯電器の位置が予め定めた寸法になる。（第3頁左下欄第17行〜右下欄第8行参照）
イ）なお、フレーム23を更に本体フレーム22内に押し込んでいくと、フレーム23の位置決めアーム23ａの穴が、本体フレーム22の位置決めピン28に嵌合し、同時に固定レール25の先端部が本体フレーム22の奥の位置決め穴に嵌合して、感光ドラム1と光学系および、感光ドラム1と給紙ローラとの相対位置が予め定めた寸法となる。（第3頁右下欄第9行〜同欄第16行参照）
　
４．対比
ａ）本願発明１における「基準プロセスユニット」は、具体的には感光体であり、装置本体と上カバーのいずれに設置したかについては特に限定するものではないので、刊行物１記載の発明の「感光体ユニット」は、本願発明１の「基準プロセスユニット」に相当し、刊行物１記載の発明の感光体ユニットの「位置決め孔7や露光ガイド板17」は、プロセスユニットの一つである「セルフォックレンズ11」のレンズ位置決め部材12に対向する基準部をなすものであり、本願発明１の「プロセスユニットの位置決め部に対向する基準部」に相当し、
ｂ）刊行物１記載の発明の「下部機体」、「上部機体」、「電子写真装置」、「位置決め部材12」、「上部機体に設置されたセルフォックレンズ11」は、それぞれ本願発明１の「装置本体」、「上カバー」、「画像形成装置」、「位置決め部」、「上カバーの下部に支持されたプロセスユニット」に相当し、
ｃ）刊行物１記載の発明のスプリング14は、上部機体を閉めた時、転写チャージャー13を介して感光体ユニット1を押上げて、感光体ユニット1の突起15を上部機体の保持部材16に取り付けられた上部レール8に当接させると共に、露光ガイド板17をレンズ位置決め部材12に当接させるものであるし、加圧アーム32も上部機体を閉めた時、感光体ユニット1を押圧して感光体ユニット1を下部機体に対して位置決めするものであるから、刊行物１記載のスプリング14や加圧アーム32は、本願発明１の「上カバーを閉めた時だけ、装置本体に対し全てのプロセスユニットが設定位置に位置決めされる基準プロセスユニットを押圧する押圧部材」に相当し、
　以上のことから、両者間には次のような一致点、相違点がある。
（一致点）
　装置本体の上カバーが開閉自在な画像形成装置において、位置決め部を備えたプロセスユニットと、前記プロセスユニットを下部に支持する上カバーと、前記プロセスユニットの位置決め部に対向する基準部を備えた基準プロセスユニットと、該基準プロセスユニットを押圧する押圧部材とから成り、前記上カバーを閉めた時だけ、前記押圧部材により装置本体に対し全てのプロセスユニットが設定位置に位置決めされることを特徴とする画像形成装置。
（相違点）
　本願発明１が上カバーにプロセスユニットを複数具えているのに対して、刊行物１記載の発明はセルフォックレンズを具えているとしか記載されていない点　
５．当審の判断
　刊行物２には、装置本体に対して開閉自在な上カバーに、除電ランプ、帯電チャージャー、光源、結像装置など複数のプロセスユニットを備えた電子写真装置が記載されており、これらの除電ランプや帯電チャージャー等も基準ユニットである感光体ユニットに対して位置決めする必要があるから、光源や結像装置以外の、例えば、除電ランプ、帯電チャージャー等のプロセスユニットに位置決め部を設けると共に、基準プロセスユニットである感光体に基準部を設ける程度のことは当業者が容易に考えつくことができた構成の変更である。
　
６．むすび
　以上のことから、本願発明１は刊行物１及び刊行物２記載の発明に基づいて、当業者が容易に発明をすることができたものであり、特許法第29条第2項の規定により、特許を受けることができない。
　よって、結論のとおり審決する。